(57)【要約】      （修正有）【課題】穴開け作業を連続して行うことができ、生じた土の後始末を容易に行うように収容部を配置することができるエアレータを提供する。【解決手段】エアレータは、上端に把持部を有する本体２と、本体の下端に配置した脚踏み台４と、脚踏み台の脚踏み領域よりも側方に設けられた筒状のタインであって、上筒部５ｂが上開口５ｄの外径長さと同じ若しくこれより長い突出高さのタイン５と、を有する。上筒部５ｂに収容部６を軸支することにより、タイン内の土８を排出する手間を省いて、穴開け作業を連続して行うことができるとともに、土の散乱を防止して、土の後始末を容易にすることができる。【選択図】図４
0003216480.tif 000002
【実用新案登録請求の範囲】
【請求項１】
上方に把持部を有する本体と、この本体の下方に配置した脚踏み台と、下方に突出する筒状のタインと、からなる脚踏み式のエアレータであって、
前記タインは、前記脚踏み台から下方に突出する下筒部と、前記脚踏み台から上方に突出する上筒部とからなり、前記下筒部内と上筒部内とを連通した連通部を有し、
前記下筒部の下開口面積は、上筒部の上開口面積と同じ若しくは前記上開口面積より小さいものであって、
前記上筒部の突出高さは、前記上筒部の上開口の外径長さと同じ若しくは前記上開口の外径長さより長い、ことを特徴とするエアレータ。
【請求項２】
上筒部は、脚踏み台の脚踏み領域の側方に形成されたことを特徴とする請求項１に記載のエアレータ。
【請求項３】
脚踏み台に収容部を有するものであって、
収容部は、タインの上開口よりも広い底部を有し、かつ、前記上開口に連通する収容空間を形成する壁部を有することを特徴とする請求項１または２のいずれかに記載のエアレータ。
【請求項４】
収容部は、軟質樹脂からなるカップ状部材であり、底部に装着孔を有し、前記装着孔に上筒部を嵌めて軸支されることを特徴とする請求項３に記載のエアレータ。
【考案の詳細な説明】
【技術分野】
【０００１】
本考案は、芝生などの地面に突き刺して土壌を改質するエアレータに関し、とりわけ筒状のタインを地面に突き刺して穴を空けて土壌の改質を図るものである。
【背景技術】
【０００２】
主として、穴開け作業や根切り作業などで地面に突き刺して土壌を改質するエアレータは従来から提案されている。特許文献１には、ハンドルの反対側となるフレーム先端側に略筒状の根切り部及び足踏み部を有し、足踏み部に足で体重をかけつつ根切り部を地面に挿入することで、根を切断しつつ地中に大きな穴を開ける芝根切り具が開示されている。そして、この芝根切り具は、根切り部内に進退可能な略棒状の土落し部を配設して、この土落し部により根切り部内の土を除去している。
【先行技術文献】
【特許文献】
【０００３】
【特許文献１】特開２００４−３０５１５３号公報
【考案の概要】
【考案が解決しようとする課題】
【０００４】
特許文献１に記載の芝根切り具は、地面に挿入するごとに、土落し部により根切り部内の土を根切り部の下端（突き刺す側の先端）から排出する工程を要した。このため、連続して穴開け作業を行えず、また除去した土が作業した場所それぞれに散乱して、作業後にレーキなどで集める工程を要した。
【０００５】
そこで、工程（手間）を省いて、連続して穴開け作業を行うことができるとともに、後始末を容易にするために、収容部を設け、若しくは収容部となるポリポッドを装着可能なエアレータが望まれていた。
【課題を解決するための手段】
【０００６】
本考案のエアレータは、上方に把持部を有する本体と、この本体の下方に配置した脚踏み台と、下方に突出する筒状のタインと、からなる脚踏み式のエアレータであって、前記タインは、前記脚踏み台から下方に突出する下筒部と、前記脚踏み台から上方に突出する上筒部とからなり、前記下筒部内と上筒部内とを連通した連通部を有し、前記下筒部の下開口面積は、上筒部の上開口面積と同じ若しくは前記上開口面積より小さいものであって、前記上筒部の突出高さは、前記上筒部の上開口の外径長さと同じ若しくは前記上開口の外径長さより長いことを特徴とする。
【０００７】
また、上筒部は、脚踏み台の脚踏み領域の側方に形成されたことが好ましい。
【０００８】
また、脚踏み台に収容部を有するものであって、収容部は、タインの上開口よりも広い底部を有し、かつ、前記上開口に連通する収容空間を形成する壁部を有することが好ましい。
【０００９】
また、収容部は、軟質樹脂からなるカップ状部材であり、底部に装着孔を有し、前記装着孔に上筒部を嵌めて軸支されることが好ましい。
【考案の効果】
【００１０】
請求項１記載の考案は、穴開け作業によるタイン内の土を次の穴開け作業により上方に排出し、さらにこの排出した土を収容することができる収容部を安定して配置することが可能になる。これにより、連続して穴開け作業を行うことができるとともに、土の散乱を防止して、土の後始末を容易にすることができる。
【００１１】
請求項２記載の考案は、脚踏み板の側方に上筒部を有することで、視認しながら脚踏み台を踏み込めて、上筒部から排出される土の状態を確認しながら穴開け作業を行うことができる。
【００１２】
請求項３に記載の考案により、エアレータに収容部を配置することにより、連続して穴開け作業を行うことができるとともに、土の散乱を防止して、土の後始末を容易にすることができる。
【００１３】
請求項４記載の考案により、苗ポットなどの汎用されたポットを利用することができ、さらに収容部を上筒部に軸支することにより、簡単な方法で、かつ、安定して連続的な穴開け作業を行うことができる。
【図面の簡単な説明】
【００１４】
【図１】本考案の実施形態に係るエアレータの正面図である。
【図２】図１のＡ−Ａ線断面図である。
【図３】図１のエアレータのタイン及び収容部周辺を左右で切断した拡大斜視図である。
【図４】図３の状態で、土を収容した使用状態を示した拡大斜視図である。
【考案を実施するための形態】
【００１５】
本考案の実施形態について、図面に基づいて詳細に説明する。本実施例に関し、図１の上下、左右を本実施形態の上下、左右として説明する。
【００１６】
本実施形態は、図１に示すように、使用者が持つグリップ状の把持部３を有する本体２と、本体２の下端に配置した脚踏み台４と、脚踏み台４よりも下方に突出する筒状のタイン５と、このタイン５の上開口５ｄから排出した土を収容する収容部６とからなる。
【００１７】
エアレータ１は、脚踏み台４を踏み、タイン５、５の下筒部５ａ、５ａを土壌に突き刺すことで、タイン５、５内に土壌の土８を導入して、穴開け作業（エアレーション）を行う。そして、次の場所での穴開け作業によりタイン５、５内に新たに土８を導入することで、前回の作業でタイン５、５内に導入した土８を上方に押し上げ、タイン５、５の上筒部５ｂ、５ｂの上開口５ｄ、５ｄから排出する。エアレータ１は、上筒部５ｂ、５ｂに収容部６、６を配置可能な長さを有し、この収容部６、６に排出した土８を収容することで、連続して穴開け作業を行うことができるとともに、土８の散乱を防止して土８の後始末を容易にすることができる。
【００１８】
本実施形態の本体２は、上下に長尺な２本の金属製のパイプで形成され、脚踏み台４の本体設置位置４ａ、４ａに設置する（図２参照）。両パイプは左右に所定距離を離れて斜め上方に延長し、本体２の高さ寸法中央よりも上方で左右内向きに凸となるように屈曲し、この屈曲部分２ａで両者を溶接・固定している。その後、パイプの屈曲部分２ａの上方部位（本体２の上端部）は左右外方を向き、この上端部は樹脂製の保護部材で覆われており、この覆われた部位を把持部３、３としている。
【００１９】
図２に示すように、脚踏み台４は、左右に長手方向を有する板状部材からなり、上記のとおり、この上板面の本体設置位置４ａ、４ａには本体２の下端（両パイプの下端）を溶接・固定している。この本体設置位置４ａ、４ａの間を脚踏み領域４ｂとし、本体２の屈曲部分２ａと脚踏み台４との間を使用者が足Ｚを挿し入れることができる。
【００２０】
また、本実施形態では、脚踏み台４の側方部４ｃ、４ｃにタイン５、５を溶接して固定している。この側方部４ｃ、４ｃとは、脚踏み台４の本体設置位置４ａ、４ａよりも左右の外方を指す。このように側方にタイン５を設けることで、脚踏み台４及びタイン５を視認しながら脚踏み台４を踏み込めて、タイン５の位置を確認しながら穴開け作業を行うことができる。
【００２１】
本実施形態の側方部４ｃ、４ｃは、本体設置位置４ａ、４ａより外方を特定するものであるが、脚踏み領域４ｂより外方であってもよい。つまり、本体２の態様によっては、図２の点線で示す実際に足Ｚで踏む範囲よりも外方を指すものである。脚踏み領域４ｂ内で本体設置位置４ａ、４ａ近く、すなわち前記足Ｚで踏む位置と本体設置位置４ａ、４ａの間にタイン５、５を配置するものであってもよい。また、上筒部５ｂを有しないタインやスパイクを足Ｚで踏む範囲の下方に配置してもよい。
【００２２】
図３に示すように、タイン５は、上下に開口する円筒形状の部材により形成される。タイン５は、脚踏み台４よりも下方に突出する下筒部５ａと、下筒部５ａに連通し、脚踏み台４よりも上方に突出する上筒部５ｂとからなる。実施形態では脚踏み台４は開口され、この開口部分に筒状のタイン５を挿入して溶着固定している。このため、タイン５の内部は下筒部５ａの下端の下開口５ｃから上筒部５ｂ上開口５ｄまで連通した連通部７が形成される。
【００２３】
この連通部７は、下方に向けて径を狭める円錐の筒形状としている。つまり、下筒部５ａの下開口５ｃは、上筒部５ｂの上開口５ｄよりその開口面積が小さくなる。このような上下の開口と連通部７の形態により、タイン５は下筒部５ａを土壌に突き刺すことで、根切りを行うことができるとともに、筒内に土壌の土８を導入し易くして、上開口５ｄから排出することができる。
【００２４】
図１に示すように、上筒部５ｂ、５ｂの突出長さＤ２（高さ方向長さ）は、上筒部５ｂ、５ｂの上開口５ｄ、５ｄの外径の長さＤ１と同じ、若しくは、それより長い。この上筒部５ｂ、５ｂの突出長さＤ２とすることで、収容部６、６をしっかりと軸支することができる。すなわち、収容部６、６はエアレータ１の突き刺し等、上下運動を行うものであるが、少なくとも上開口５ｄ、５ｄの外径の長さＤ１と同じ若しくはそれよりも長い突出長さＤ２を有することで、収容部６、６が外れたりすることを防止し、安定した使用が確保できる。これは、下開口５ｃの開口面積が、上開口５ｄの開口面積と同じ、若しくは、上開口５ｄの開口面積より小さいことにより、エアレータ１の穴開け表面積以上の上開口５ｄが形成されていることが前提となり、これと同等以上の上筒部５ｂの突出長さＤ２があることで、収容部６を安定して軸支することができる。
【００２５】
また、図３に示すように、上筒部５ｂは下筒部５ａの上端と同径の略直管形状としている。上筒部５ｂと下筒部５ａとの長手方向長さは、上筒部５ｂの方が下筒部５ａよりも上下寸法が短く、例えば下筒部５ａの４分の１程度の寸法としている。このように上筒部５ｂを下筒部５ａよりも短くすることで、タイン５内の土を上筒部５ｂよりも上方に排出し易くして、タイン５内に土８を詰まり難くすることができる。
【００２６】
また、タイン５は、その上筒部５ｂにより収容部６を着脱自在で軸支することができる。収容部６は、タイン５の上開口５ｄより外方に周囲を取り囲む収容空間を有するものであって、本実施形態では樹脂製のカップを配置するものである。このカップ状の収容部６は、円板形状の底部６ａと、底部６ａの外周端から上方に立ち上がる円筒形状の壁部６ｂとからなる。底部６ａの中央には、上筒部５ｂと同径の装着孔６ｃを有し、この装着孔６ｃに上筒部５ｂを軸支し、底部６ａを脚踏み台４の上面に載置するようにして固定する。
【００２７】
この形態により、タイン５の連通部７から通じた上開口５ｄと収容部６の収容空間とが連通する。図４に示すように、この装着状態で芝生などに穴開け作業を行うことで、タイン５から排出した土８をカップ（収容部６）内に収容して、土８の散乱を防止することができる。そして、収容部６が脚踏み台４の側方部４ｃに位置するため、収容部６の空き容量を確認（視認）しながら穴開け作業（脚踏み動作）を行うことができる。収容部６に土８が溜まると、収容部６を上筒部５ｂから取り外すことで、収容部６内の土８を纏めて廃棄することができる。
【００２８】
また、収容部６の底部６ａの装着孔６ｃよりも上方に上筒部５ｂが突出して位置する。この上筒部５ｂの上方に突出する部位が閉塞・逆流防止壁となり、収容部６内の土８によるタイン５の上開口５ｄの閉塞や逆流を防止することができ、安定して連続的な穴開け作業を行うことができる。
【００２９】
また、収容部６は、軟質樹脂からなり、収容した土８により外向きに負荷がかかると、その柔軟性により変形することができる。これにより、固結した土壌に穴開け作業をしても、収容部６が柔軟に変形することで、タイン５から排出した土に押されて収容部６から土８が零れ落ちたり、収容部６内の土８の抵抗によりタイン５から土８が排出しづらくなることを防止できる。
【００３０】
また、収容部６は、園芸用の苗カップを代用することができる。苗カップは底面に水抜き用の孔が開口されたカップであり、エアレータを利用するような園芸愛好者は苗カップ付の苗を購入することが多く、この苗カップを収容部６に代用することができる。
【符号の説明】
【００３１】
１…エアレータ、２…本体、３…把持部、４…脚踏み台、４ａ…本体設置位置、４ｂ…脚踏み領域、４ｃ…側方部、５…タイン、５ａ…下筒部、５ｂ…上筒部、５ｃ…下開口、５ｄ…上開口、６…収容部、６ａ…底部、６ｂ…壁部、７…連通部、８…土。
【図１】
0003216480.tif 000003
【図２】
0003216480.tif 000004
【図３】
0003216480.tif 000005
【図４】
0003216480.tif 000006